(57)【特許請求の範囲】
【請求項１】
電子ディスプレイであって、
画素へ印加される電圧信号に少なくとも部分的に基づいて変化するリフレッシュレートで画像を表示することを促進するように構成された画素と、
前記画素と電気的に結合されたドライバであって、前記電子ディスプレイに第１の画像を表示することを促進するために、第１の画像データに少なくとも部分的に基づいて、第１の電圧信号を前記画素に印加するように構成された前記ドライバと、
前記ドライバに通信可能に結合されたタイミングコントローラであって、
前記第１の画像の後に表示される第２の画像に対応する第２の画像データを画像ソースから受信し、
カウンタ値に少なくとも部分的に基づいて、前記第１の画像の表示結果として予測される前記画素の第１の極性化を判定し、
前記カウンタ値は、前記第１の画像の第１の表示持続時間が第１の持続時間閾値よりも短い持続時間に少なくとも部分的に基づいて、第１のレートで調整され、
前記カウンタ値は、前記第１の表示持続時間が前記第１の持続時間閾値よりも短くない持続時間に少なくとも部分的に基づいて、第２のレートで調整され、前記第２のレートは、前記第１の表示持続時間と前記第１の極性化との間における非線形の関係を表現することを促進するために、前記第１のレートとは異なり、
前記電子ディスプレイ上で前記第２の画像を表示することを促進するために、前記第１の極性化と、前記第２の画像データとに少なくとも部分的に基づいて、第２の電圧信号を前記画素に印加するように前記ドライバに指示し、前記第２の電圧信号の極性は、前記画素の前記第１の極性化に少なくとも部分的に基づいて判定される、
ように構成された前記タイミングコントローラと
を備えることを特徴とする電子ディスプレイ。
【請求項２】
前記タイミングコントローラは、
前記カウンタ値が前記第１の画像を表示した結果として正数である場合には、前記第２の電圧信号を負電圧で印加するように前記ドライバに指示し、
前記カウンタ値が前記第１の画像を表示した結果としてゼロ以下である場合には、前記第２の電圧信号を正電圧で印加するように前記ドライバに指示する、ように構成されたことを特徴とする請求項１に記載の電子ディスプレイ。
【請求項３】
前記タイミングコントローラは、
前記画素へ印加された前記第１の電圧信号が正電圧を有する場合には、前記カウンタ値を増加させ、
前記画素へ印加された前記第１の電圧信号が負電圧を有する場合には、前記カウンタ値を減少させることによって、
前記第１の画像の前記第１の表示持続時間に少なくとも部分的に基づいて、前記カウンタ値を更新するように構成されたことを特徴とする請求項１に記載の電子ディスプレイ。
【請求項４】
前記タイミングコントローラは、
前記第１の画像データに含まれる、垂直ブランクラインの数及びアクティブラインの数を判定し、
前記第１の画像データに含まれる前記垂直ブランクラインの数及び前記アクティブラインの数に少なくとも部分的に基づいて、前記第１の画像の前記第１の表示持続時間を判定し、
前記第１の電圧信号が正電圧を有する場合には、前記第１の画像データに含まれる前記垂直ブランクラインの数及び前記アクティブラインの数によって前記カウンタ値を増加させ、
前記第１の電圧信号が負電圧を有する場合には、前記第１の画像データに含まれる前記垂直ブランクラインの数及び前記アクティブラインの数によって前記カウンタ値を減少させることによって、
前記第１の画像の前記第１の表示持続時間に少なくとも部分的に基づいて、前記カウンタ値を更新するように構成されたことを特徴とする請求項１に記載の電子ディスプレイ。
【請求項５】
前記カウンタ値は、前記第１の画像の前記第１の表示持続時間が第２の持続時間閾値よりも短く、かつ、前記第１の持続時間閾値よりも短くない持続時間に少なくとも部分的に基づいて、第３のレートで調整され、
前記第３のレートは、前記第１の表示持続時間と前記第１の極性化との間の非線形の関係を表現するために、前記第１のレート及び前記第２のレートの両方と異なることを特徴とする請求項１に記載の電子ディスプレイ。
【請求項６】
前記タイミングコントローラは、
前記第２の画像の後に表示される第３の画像に対応する第３の画像データを画像ソースから受信し、
前記カウンタ値に少なくとも部分的に基づいて、前記第２の画像の表示結果として予測される前記画素の第２の極性化を判定し、
前記カウンタ値は、前記第２の画像の第２の表示持続時間が前記第１の持続時間閾値よりも短い持続時間に少なくとも部分的に基づいて、前記第１のレートで調整され、
前記カウンタ値は、前記第２の表示持続時間が前記第１の持続時間閾値よりも短くない持続時間に少なくとも部分的に基づいて、前記第２のレートで調整され、前記第２のレートは、前記第２の表示持続時間と前記第２の極性化との間における非線形の関係を表現する前記第１のレートとは異なり、
前記電子ディスプレイ上で前記第３の画像を表示することを促進するために、前記第２の極性化と、前記第３の画像データとに少なくとも部分的に基づいて、第３の電圧信号を前記画素に印加するように前記ドライバに指示し、前記第３の電圧信号の極性は、前記画素の前記第２の極性化に少なくとも部分的に基づいて判定される、
ように構成されたことを特徴とする請求項１に記載の電子ディスプレイ。
【請求項７】
方法であって、
電子ディスプレイを用いて、第１の電圧信号を前記電子ディスプレイの画素に供給することによって第１の画像を表示することと、
前記電子ディスプレイのカウンタを用いて、
前記第１の画像の第１の表示持続時間が第１の持続時間閾値よりも短い間に、第１のレートでカウンタ値を調整し、
前記第１の表示持続時間が前記第１の持続時間閾値よりも短くない間に、第２のレートで前記カウンタ値を調整し、前記第２のレートは、前記第１の表示持続時間と前記画素の予測される極性化との間における非線形の関係を表現することを促進するために、第１のレートとは異なる、ことによって、
１以上の画像の表示結果として前記画素の前記予測される極性化を示すカウンタ値を調整することと、
前記電子ディスプレイを用いて、前記画素の前記予測される極性化を減らすことを促進するために、前記第１の画像の表示結果としての前記カウンタ値に少なくとも部分的に基づいて判定される第１の電圧極性で前記画素に第２の電圧信号を印加することによって、前記第１の画像のすぐ後に第２の画像を表示することと
を含むことを特徴とする方法。
【請求項８】
前記電子ディスプレイを用いて、前記第１の画像に対応する第１の画像データを画像ソースから受信することと、
前記電子ディスプレイを用いて、前記第１の画像データに含まれるアクティブラインの数及びブランクラインの数を判定することと
を含み、
前記カウンタ値を調整することは、
前記第１の電圧信号の第２の極性が正の場合には、前記第１の画像データに含まれる前記アクティブラインの数及び前記ブランクラインの数に少なくとも部分的に基づいて、前記第１の画像の表示中に前記カウンタ値を増加させることと、
前記第１の電圧信号の前記第２の極性が負の場合には、前記第１の画像データに含まれる前記アクティブラインの数及び前記ブランクラインの数に少なくとも部分的に基づいて、前記第１の画像の表示中に前記カウンタ値を減少させることと
を含むことを特徴とする請求項７に記載の方法。
【請求項９】
前記第１の画像データに含まれる前記アクティブラインの数及び前記ブランクラインの数に少なくとも部分的に基づいて、前記第１の画像の、予測される表示持続時間、予測されるリフレッシュレート、又はその両方を判定することを含むことを特徴とする請求項８に記載の方法。
【請求項１０】
前記カウンタを用いて、
前記第２の画像の第２の表示持続時間が前記第１の持続時間閾値よりも短い間に、前記第１のレートで前記カウンタ値を調整し、
前記第２の表示持続時間が前記第１の持続時間閾値よりも短くない間に、前記第２のレートで前記カウンタ値を調整し、前記第２のレートは、前記第２の表示持続時間と前記画素の前記予測される極性化との間における非線形の関係を表現することを促進するために、前記第１のレートとは異なる、ことによって、
前記第２の画像の表示中に前記カウンタ値を調整することと、
前記電子ディスプレイを用いて、前記第２の画像の表示結果としての前記カウンタ値に少なくとも部分的に基づいて判定される第２の電圧極性で前記画素に第３の電圧信号を印加することによって、前記第２の画像のすぐ後に第３の画像を表示することと
を含むことを特徴とする請求項７に記載の方法。
【請求項１１】
前記電子ディスプレイを用いて、
前記第１の画像の表示結果としての前記カウンタ値がゼロより大きい場合に、第１の極性が負であると判定し、
前記第１の画像の表示結果としての前記カウンタ値がゼロ以下の場合に、前記第１の極性が正であると判定することによって、
前記第２の電圧信号の前記第１の電圧極性を判定することを含むことを特徴とする請求項７に記載の方法。
【請求項１２】
前記カウンタ値を調整することは、
前記第１の画像の前記第１の表示持続時間が第２の持続時間閾値より短く、かつ、前記第１の持続時間閾値よりも短くない間に、前記第２のレートで前記カウンタ値を調整することであって、第２のレートは前記第１のレートより小さい、ことと、
前記第１の画像の前記第１の表示持続時間が前記第２の持続時間閾値及び前記第１の持続時間閾値よりも短くない間に、第３のレートで前記カウンタ値を調整することであって、前記第３のレートは前記第２のレートより小さい、ことと
を含むことを特徴とする請求項７に記載の方法。
【請求項１３】
電子デバイスの１以上のプロセッサによって実行可能な命令を含むコンピュータプログラムであって、前記命令は、
前記１以上のプロセッサを用いて、電子ディスプレイのディスプレイパネルの画素に第１の電圧信号を印加することによって、前記ディスプレイパネルに第１の画像を書き込むようにドライバに指示し、
前記１以上のプロセッサを用いて、前記第１の画像の第１の画素極性化及び第１の表示持続時間の間の非線形の関係に少なくとも部分的に基づいて、前記第１の画像の表示に起因して前記画素において発生することが予測される前記第１の画素極性化を判定し、
前記１以上のプロセッサを用いて、前記画素に印加されると、前記第１の画素極性化を減らすことを促進することが予測される第１の電圧極性を判定し、
前記１以上のプロセッサを用いて、前記画素に前記第１の電圧極性で第２の電圧信号を印加することによって前記第１の画像のすぐ後に前記ディスプレイパネルに第２の画像を書き込むように前記ドライバに指示する、
命令を含むことを特徴とするコンピュータプログラム。
【請求項１４】
前記１以上のプロセッサを用いて、前記電子ディスプレイに、
前記第１の画像の第１の表示持続時間が持続時間閾値よりも短い持続時間に少なくとも部分的に基づいて、第１のレートでカウンタ値を調整し、
前記第１の表示持続時間が前記持続時間閾値よりも短くない持続時間に少なくとも部分的に基づいて、第２のレートで前記カウンタ値を調整し、前記第２のレートは、前記第１の画素極性化と前記第１の表示持続時間との間における前記非線形の関係を表現することを促進するために、前記第１のレートより小さい、ように指示する命令を含み、
前記第１の画像の表示に起因して前記画素において発生することが予測される前記第１の画素極性化を判定する前記命令は、前記第１の画像の表示結果としてのカウンタ値に少なくとも部分的に基づいて、前記第１の画素極性化を判定する命令を含むことを特徴とする請求項１３に記載のコンピュータプログラム。
【請求項１５】
前記第１の画素極性化を減らすことを促進することが予想される前記第１の電圧極性を判定する前記命令は、
前記第１の画素極性化が負電圧になると予測される場合には、前記第１の電圧極性が正であると判定し、
前記第１の画素極性化が正電圧になると予測される場合には、前記第１の電圧極性が負であると判定する命令を含むことを特徴とする請求項１３に記載のコンピュータプログラム。
【請求項１６】
前記１以上のプロセッサを用いて、前記第２の画像の第２の画素極性化及び第２の表示持続時間の間の非線形の関係に少なくとも部分的に基づいて、前記第２の画像の表示に起因して前記画素において発生することが予測される前記第２の画素極性化を判定し、
前記１以上のプロセッサを用いて、前記画素に印加されると、前記第２の画素極性化を減らすことを促進することが予測される第２の電圧極性を判定し、
前記１以上のプロセッサを用いて、前記画素に前記第２の電圧極性で第３の電圧信号を印加することによって前記第２の画像のすぐ後に前記ディスプレイパネルに第３の画像を書き込むように前記ドライバに指示する、
命令を含むことを特徴とする請求項１３に記載のコンピュータプログラム。
【請求項１７】
コンピューティングデバイスであって、
画像ソースであって、
前記画像ソースがアクティブモードにある場合には画像データを出力し、
前記画像ソースがスリープモードにある場合には画像データの出力を停止するように構成された、前記画像ソースと、
前記画像ソースから画像データを受信可能に該画像ソースに結合された電子ディスプレイであって、
前記画像ソースが前記アクティブモードで動作している間に前記画像ソースから受信した対応する画像データに少なくとも部分的に基づいて、前記電子ディスプレイ上に表示される第１の画像の表示持続時間を判定し、
前記第１の画像の画素極性化及び前記表示持続時間の間の非線形の関係に少なくとも部分的に基づいて、前記第１の画像の表示後の画素において引き起こされると予測される前記画素極性化を判定し、
前記第１の画像の表示後に前記画素において引き起こされると予測される前記画素極性化に少なくとも部分的に基づいて判定される電圧極性で電圧信号を印加することによって前記第１の画像のすぐ後に第２の画像を表示するように構成された前記電子ディスプレイと
を備えることを特徴とするコンピューティングデバイス。
【請求項１８】
前記画像ソースは、該画像ソースによって出力されるべき画像データが前記画像ソースによって前に出力された画像データと同じ場合には、前記スリープモードに移行するように構成されたことを特徴とする請求項１７に記載のコンピューティングデバイス。
【請求項１９】
前記表示持続時間を判定するために、前記電子ディスプレイは、
前記対応する画像データに含まれる、垂直ブランクラインの数及びアクティブラインの数を判定し、
前記対応する画像データに含まれる前記垂直ブランクラインの数及び前記アクティブラインの数に少なくとも部分的に基づいて、前記表示持続時間を判定する、ように構成されたことを特徴とする請求項１７に記載のコンピューティングデバイス。
【請求項２０】
前記電子ディスプレイは、
カウンタであって、非線形の関係を示すことを促進するために、
前記表示持続時間が第１の持続時間閾値よりも短い持続時間に少なくとも部分的に基づいて、第１のレートでカウンタ値を調整し、
前記表示持続時間が前記第１の持続時間閾値よりも長く、かつ、第２の持続時間閾値よりも短い持続時間に少なくとも部分的に基づいて、前記第１のレートよりも小さい第２のレートで前記カウンタ値を調整する、ように構成されたカウンタと、
前記カウンタ値に少なくとも部分的に基づいて、前記画素において結果として予測される前記画素極性化を判定するように構成されたタイミングコントローラと
を備えることを特徴とする請求項１７に記載のコンピューティングデバイス。
【請求項２１】
方法であって、
電子ディスプレイを用いて、第１の画像データに基づいて第１の画像を表示することと、
カウンタを用いて、
前記第１の画像の第１の表示持続時間が第１の持続時間閾値に到達するまで、第１のレートでカウンタ値を調整し、
前記第１の画像の第１の表示持続時間が前記第１の持続時間閾値を超えた後に、前記第１のレートとは異なる第２のレートで前記カウンタ値を調整することによって、
表示持続時間と前記電子ディスプレイの画素において発生する画素極性化との間の予測される非線形の関係を示すことを促進するために、前記第１の画像の前記第１の表示持続時間に少なくとも部分的に基づいて、カウンタ値を調整することと、
前記電子ディスプレイを用いて、前記電子ディスプレイの前記画素に前記第１の画像を表示した後に、前記カウンタ値に少なくとも部分的に基づいて判定される第１の電圧極性で第１の電圧信号を印加することによって、第２の画像を表示することと
を含むことを特徴とする方法。
【請求項２２】
前記カウンタ値を調整することは、
前記第１の画像の第１の表示持続時間が第２の持続時間閾値に到達するまで、前記第２のレートで前記カウンタ値を調整することと、
前記第１の表示持続時間が前記第２の持続時間閾値を超えた後に、前記第１のレート及び前記第２のレートとは異なる第３のレートで前記カウンタ値を調整することと
を含むことを特徴とする請求項２１に記載の方法。
【請求項２３】
前記第１のレートで前記カウンタ値を調整することは、単位時間当たり１単位の前記カウンタ値を調整することを含み、
前記第２のレートで前記カウンタ値を調整することは、２単位時間当たり１単位の前記カウンタ値を調整することを含む、ことを特徴とする請求項２１に記載の方法。
【請求項２４】
前記カウンタを用いて、
前記第２の画像の第２の表示持続時間が前記第１の持続時間閾値に到達するまで、前記第１のレートで前記カウンタ値を調整し、
前記第２の画像の第２の表示持続時間が前記第１の持続時間閾値を超えた後に、前記第２のレートで前記カウンタ値を調整することによって、
表示持続時間と前記電子ディスプレイの前記画素において発生する画素極性化との間の前記予測される非線形の関係を示すことを促進するために、前記第２の画像の第２の表示持続時間に少なくとも部分的に基づいて、前記カウンタ値を調整することと、
前記電子ディスプレイを用いて、前記電子ディスプレイの前記画素に前記第２の画像を表示した後に、前記カウンタ値に少なくとも部分的に基づいて判定される第２の電圧極性で第２の電圧信号を印加することによって、第３の画像を表示することと
を含むことを特徴とする請求項２１に記載の方法。
【発明の詳細な説明】
【技術分野】
【０００１】
本出願は、２０１４年６月２５日付出願、「Ｉｎｖｅｒｓｉｏｎ  Ｂａｌａｎｃｅ  Ｃｏｍｐｅｎｓａｔｉｏｎ」と題し、本明細書に参照によって援用される、米国特許仮出願第６２／０１７，０８１号の優先権を主張する、非仮出願である。
【背景技術】
【０００２】
本開示は概して電子ディスプレイに関し、より具体的には、電子ディスプレイにおける反転平衡化に関する。
【０００３】
この節では、後述し及び／又は請求される本技術の種々の態様に関連し得る様々な態様を読者に紹介する。本論考は、本開示の様々な態様の、より良好な理解を容易にするための背景技術を閲覧者に提供する際に、助けとなるものと考えられる。したがって、これらの記述は、上述の観点から読まれるべきであり、先行技術の承認として読まれるべきではないことを、理解するべきである。
【０００４】
一般的に電子ディスプレイは、電子ディスプレイのディスプレイパネルに画像を連続的に書き込むことで、ユーザに画像を知覚させることができる。より具体的には、画像を電子ディスプレイに、ディスプレイパネル内の画素に電圧を印加することで表示することができる。いくつかの場合では、各画素に印加される電圧の極性を、画素が極性化される可能性を低くするために正電圧と負電圧とで交互にしてもよい。例えば、フレーム反転方式では、ディスプレイパネル上の画素に正極電圧を印加して第１の画像（例えば、フレーム）を表示することができる。次に、ディスプレイパネル上の画素に負極電圧を印加して第２の画像（例えば、フレーム）を表示することができる。
【０００５】
本明細書に用いるように、「リフレッシュレート」はディスプレイパネルに画像が書き込まれる周波数を説明する。したがって、いくつかの実施形態では、電子デバイスのリフレッシュレートを調節することで電子ディスプレイの電力消費を調節することができる。例えば、リフレッシュレートが高いと、電力消費もまた、高くなり得る。一方で、リフレッシュレートが低いと、電力消費もまた、低くなり得る。実際に、いくつかの実施形態では、リフレッシュレートは連続して表示される画像間においても動的であり得る。例えば、上記の例で続けると、第１の画像は６０Ｈｚのリフレッシュレートで表示されてもよく、第２の画像は３０Ｈｚのリフレッシュレートで表示されてもよい。言い換えると、負極電圧は、正極電圧の２倍の長さでディスプレイパネルに印加されてもよい。しかしながら、逆極性電圧がディスプレイパネルに印加される持続時間が、リフレッシュレートが可変である場合に異なることがあるため、画素内にて極性化が発生し、画質が低下する恐れがある。
【０００６】
このように、リフレッシュレートが動的であっても、例えばディスプレイパネル内の画素が極性化される可能性を低くすることで、画質を維持できると良いだろう。
【発明の概要】
【０００７】
本明細書に開示される特定の実施形態の要約を以下に示す。これらの態様が、これらの特定の実施形態の概要を読者に提供するためだけに提示され、これらの態様が、この開示の範囲を限定するものではないことを理解されたい。実際に、本開示は、以下に記載されない種々の態様を包含し得る。
【０００８】
本開示は概して、電子ディスプレイ上に表示される画像の質を、特に電子ディスプレイのリフレッシュレートが動的である場合に改善することに関する。より具体的には、リフレッシュレートが動的である場合に、連続する各画像（例えば、フレーム）が表示される持続時間が変化し得る。このように、正電圧及び負電圧の印加で反転が排他的に交互する場合に、電子ディスプレイ内で極性化が発生して画質が低下する恐れがある。
【０００９】
したがって、リフレッシュレートが動的である場合に、本明細書に記載される方法は電子ディスプレイ内の画素が極性化する恐れを、各画像を書き込むために印加される電圧の極性及び各画像が表示される持続時間を判定することで低くすることができる。いくつかの実施形態では、各画像が表示される持続時間は、各画像に対応する画像データに含まれるラインの数に基づいてもよい。例えば、電子ディスプレイ内のタイミングコントローラ（ＴＣＯＮ）は、画像ソースから受信した画像データ内の垂直ブランク（Ｖｂｌａｎｋ）ライン及びアクティブラインの数を数えてもよい。カウント値に基づいて、タイミングコントローラはその後に、次の画像（例えば、フレーム）に正極電圧又は負極電圧化を印加するかを判定してもよい。
【００１０】
より具体的には、タイミングコントローラは、電子ディスプレイの画素に正電圧が印加された場合にはカウントアップし、電子ディスプレイに負電圧が印加された時はカウントダウンする、又はその逆としてもよい。いくつかの実施形態では、電子ディスプレイの画素が極性化する恐れを、カウンタ値をゼロに近づけて維持することで低くしてもよい。よって、カウント値が正数である時は、タイミングコントローラは次の画像が負電圧で書き込まれるべきであると判定してもよく、カウント値が負数である時は、タイミングコントローラは次の画像が正電圧で書き込まれるべきであると判定してもよい。言い換えると、反転方法は逆極性電圧が電子ディスプレイの画素に印加される持続時間を平衡化してもよく、それによって極性化される恐れを低くすることができる。
【図面の簡単な説明】
【００１１】
以下の「発明を実施するための形態」を読了し、かつ以下の図面を参照することにより、本開示の様々な態様を、より良好に理解することができる。
【００１２】
【図１】一実施形態に係る、画像を表示するために用いられるコンピューティングデバイスのブロック図である。
【００１３】
【図２】一実施形態に係る、図１のコンピューティングデバイスの実施例である。
【００１４】
【図３】一実施形態に係る、図１のコンピューティングデバイスの実施例である。
【００１５】
【図４】一実施形態に係る、図１のコンピューティングデバイスの実施例である。
【００１６】
【図５】一実施形態に係る、画像を表示するために用いられる図１のコンピューティングデバイスの一部のブロック図である。
【００１７】
【図６】一実施形態に係る、極性化する恐れを低くするためのプロセスのフロー図である。
【００１８】
【図７】一実施形態に係る、カウンタ値に基づいて画像（例えば、フレーム）を表示するためのプロセスのフロー図である。
【００１９】
【図８】一実施形態に係る、カウンタ値を更新するためのプロセスのフロー図である。
【００２０】
【図９】一実施形態に係る、電子ディスプレイの仮想動作に関連するカウンタ値の実施例である。
【００２１】
【図１０】一実施形態に係る、カウンタ値を更新するための非線形プロセスのフロー図である。
【００２２】
【図１１】一実施形態に係る、電子ディスプレイの仮想動作に関連する非線形カウンタ値の実施例である。
【発明を実施するための形態】
【００２３】
本開示の１つ以上のある特定の実施形態を以下に述べる。これらの述べる実施形態は、本明細書で開示されている技術の実施例に過ぎない。更に、これらの実施形態の簡潔な説明を提供するために、本明細書に実際の実施態様のすべての特徴が示されるとは限らない。いずれの工学プロジェクト又は設計プロジェクトの場合とも同様に、いずれのそのような実際の実施態様の開発に際しても、実施態様毎に異なり得る、システム関連及びビジネス関連の制約の準拠などの、開発者の具体的な目的を達成するために、実施態様に固有の多数の決定を行わなければならないことを理解するべきである。更に、開発努力は複雑で時間がかかる可能性があるが、それでも、本開示の利益を有する当業者には、設計、製作、及び製造の通常業務であり得ることを理解されたい。
【００２４】
本開示の様々な実施形態の要素を紹介する場合に、冠詞「ａ」、「ａｎ」、及び「ｔｈｅ」は、その要素が１つ以上あることを意味する。用語「備える」、「含む」、及び「有する」は、包括的であることを意図し、列挙した要素以外の付加的な要素がある可能性があることを意味する。更に、本開示の「一実施形態」又は「実施形態」の参照は、列挙した特徴を組み込む追加の実施形態の存在を除外するように解釈されることを意図したものではないことを理解されたい。
【００２５】
上述の通り、電子ディスプレイは、ディスプレイ内の画素に電圧を印加することで画像を表示することができる。より具体的には、画素は、印加された電圧の大きさに少なくとも部分的に基づいて、光を伝導することができる。しかしながら、直流（ＤＣ）が画素に長期間印加されると、画素が極性化する恐れがあり、そのことで表示画質が低下する可能性がある。例えば、画素に正電圧が長期間印加されると、画素は正に極性化され始める恐れがある。このように、画素に電圧が印加されると、正極性化によって画素が印加された電圧より高い電圧を有する恐れがあり、これによって画素が不正確に光を伝導する恐れがある。
【００２６】
よって、ディスプレイパネルに印加される電圧の極性を交互にすることによる反転技術を利用して、画素が極性化されるリスクを低下させるのが有利であり得る。例えば、フレーム反転方式では、第１の画像は正電圧を印加することでディスプレイパネルに書き込むことができ、第２の画像は負電圧を印加することでディスプレイパネルに書き込むことができる。言い換えると、一定のリフレッシュレートが用いられていると仮定して、交互に正及び負の電圧を印加することで、逆極性の電圧が互いに相殺し合って極性化のリスクを低下させることを可能とし得る。
【００２７】
しかしながら、いくつかの実施形態では、電子ディスプレイは動的な可変リフレッシュレートに切り替わる能力を有してもよい。より具体的には、電子ディスプレイは、例えば制御ビットを用いることで、一定のリフレッシュレート（例えば、フレーム毎に６０Ｈｚ）から動的可変リフレッシュレートを用いるように、及びその逆に切り替わってもよい。例えば、動的可変リフレッシュレートが用いられている時、第１の画像を表示するのに用いられるリフレッシュレートは第２の画像を表示する場合に用いられるリフレッシュレートと異なっていてもよい。言い換えると、各画像がディスプレイパネルに表示される持続時間は変動し得る。このような実施形態では、連続して表示される各画像にてディスプレイパネルに印加される電圧の極性を交互させても、画素は極性化される可能性がある。例えば、極端な例では、第１の画像は正電圧を印加することで３０Ｈｚにて表示してもよく、第２の画像は負電圧を印加することで６０Ｈｚにて表示してもよく、第３の画像は正電圧を印加することで３０Ｈｚにて表示してもよく、第４の画像は負電圧を印加することで６０Ｈｚにて表示してもよく、以降同様である。このような場合、正電圧は、負電圧の倍の長さでディスプレイパネルに印加される。よって、長期間にわたって、画素はまだ正に極性化され得る。
【００２８】
したがって、本開示の一実施形態は、可変するリフレッシュレートで画像を表示するディスプレイパネルと、タイミングコントローラとを含む電子ディスプレイを記載する。より具体的には、タイミングコントローラは、画像ソースから画像データを受信し、カウンタ値を判定し、電子ディスプレイ内のドライバに対して、カウンタ値に基づいて、ディスプレイパネルに電圧を印加してディスプレイパネルに画像を書き込むように指示する。いくつかの実施形態では、タイミングコントローラはドライバに、カウンタ値が正数である場合には負電圧を印加するように、そしてカウンタ値が０以下である場合には正電圧を印加するように、又はその逆のように指示してもよい。更に、タイミングコントローラは、画像がディスプレイパネルに表示される持続時間に基づいてカウンタ値を更新する。いくつかの実施形態では、タイミングコントローラは、印加電圧が正数である場合にはカウンタ値を増加させ、印加電圧が負数である場合にはカウンタ値を減少させてもよい。
【００２９】
以下により詳細に記載するが、カウンタ値は、ディスプレイパネルに正電圧及び負電圧が印加される持続時間を追跡するために用いることができる。このように、カウント値は、極性化の恐れを低くするために印加するべき電圧の極性を判定するのに用いることができる。例えば、正電圧を印加することで第１の画像が３０Ｈｚで表示されると、カウンタ値は、負電圧を印加することで次に６０Ｈｚの画像が表示されるべきであると示してもよい。更に、カウンタ値は、負電圧を印加することで第２の次の６０Ｈｚ画像が表示されるべきであると示してもよい。言い換えると、本明細書に記載される方法は、連続的に表示された画像（例えば、フレーム）を同一の極性電圧を用いて書き込むことを許容する。
【００３０】
図示目的で、図１に、画像を表示するために電子ディスプレイ１２を用いるコンピューティングデバイス１０を示す。以下により詳細に記載するが、コンピューティングデバイス１０は任意の好適なコンピューティングデバイスであってもよく、例えば、ハンドヘルド型コンピューティングデバイス、タブレットコンピューティングデバイス、ノートブックコンピュータであってもよい。
【００３１】
したがって、図示するように、コンピューティングデバイス１０は、ディスプレイ１２、入力構造体１４、入出力（Ｉ／Ｏ）ポート１６、１つ以上のプロセッサ（単数又は複数）１８、メモリ２０、不揮発性記憶装置２２、ネットワークインタフェース２４、及び電源２６、並びに画像処理回路２７を備える。図１に記載される様々な構成要素は、ハードウェア要素（回路を含む）、ソフトウェア要素（非一時的コンピュータ可読媒体上に記憶されたコンピュータコードを含む）、又はハードウェア要素とソフトウェア要素両方の組み合わせを含んでもよい。図１は特定の実施態様の一実施例に過ぎず、コンピューティングデバイス１０内に存在し得る構成要素のタイプを示すものであることに注意されたい。更に、様々な図示された構成要素は、より数の少ない構成要素に組み合わされてもよく、あるいは追加の構成要素に分けられてもよい。例えば、画像処理回路２７（例えば、グラフィック処理ユニット）が、１つ以上のプロセッサ１８に含まれてもよい。
【００３２】
図示するように、プロセッサ１８及び／又は画像処理回路２７は、メモリ２０及び／又は不揮発性記憶デバイス２２と作用可能に連結される。より具体的には、プロセッサ１８及び／又は画像処理回路２７はメモリ２０及び／又は不揮発性記憶デバイス２２に記憶されている命令を実行することで、例えば画像データを生成及び／又は送信するなど、コンピューティングデバイス１０にて操作を行うことができる。このように、プロセッサ１８及び／又は画像処理回路２７は、１つ以上の汎用マイクロプロセッサ、１つ以上の特定用途向けプロセッサ（ＡＳＩＣ）、１つ以上のフィールドプログラマブルロジックアレイ（ＦＰＧＡ）、又はそれらの任意の組み合わせを含むことができる。更に、メモリ２０及び／又は不揮発性記憶デバイス２２は、プロセッサ１８及び／又は画像処理回路２７によって実行可能な命令、並びにそれによって処理されるデータを記憶する、有形の非一時的コンピュータ可読媒体であってもよい。言い換えると、メモリ２０はランダムアクセスメモリ（ＲＡＭ）を備えてもよく、不揮発性記憶デバイス２２は読み出し専用メモリ（ＲＯＭ）、書き換え可能フラッシュメモリ、ハードドライブ、光学ディスクなどを備えてもよい。一例として、命令を含むコンピュータプログラム製品には、オペレーティングシステム（例えば、Ａｐｐｌｅ  Ｉｎｃ．によるＯＳ  Ｘ（登録商標）又はｉＯＳ）又はアプリケーションプログラム（例えば、Ａｐｐｌｅ  Ｉｎｃ．によるｉＢｏｏｋｓ（登録商標））が挙げられる。
【００３３】
更に、図示するように、プロセッサ１８はネットワークインタフェース２４と作用可能に連結されており、コンピューティングデバイス１０をネットワークに通信可能に連結する。例えば、ネットワークインタフェース２４は、コンピューティングデバイス１０を、Ｂｌｕｅｔｏｏｔｈ（登録商標）ネットワークなどのパーソナルエリアネットワーク（ＰＡＮ）、８０２．１１ｘ  Ｗｉ−Ｆｉ（登録商標）ネットワークなどのローカルエリアネットワーク（ＬＡＮ）、４Ｇ又はＬＴＥ（登録商標）セルラーネットワークなどの広域ネットワーク（ＷＡＮ）に接続してもよい。更に、図示するように、プロセッサ１８は電源２６と作用可能に連結しており、コンピューティングデバイス１０における種々の構成要素に電力を供給する。このように、電源２６は、充電式リチウムポリマー（Ｌｉ−ｐｏｌｙ）バッテリ及び／又は交流（ＡＣ）電力変換装置などの任意の好適なエネルギーを含んでもよい。
【００３４】
図示するように、プロセッサ１８はまた、コンピューティングデバイス１０に種々の他の電子デバイスとインタフェースで接続することを可能とするＩ／Ｏポート１６、及び、ユーザにコンピューティングデバイス１０と相互作用することを可能とし得る入力構造体１４とも、作用可能に連結している。したがって、これらの入力構造体１４は、ボタン、キーボード、マウス、トラックパッドなどを含んでもよい。更に、いくつかの実施形態では、ディスプレイ１２はタッチ感知式の構成要素を含んでもよい。例えば、電子ディスプレイ１２は、複数のタッチを一度に検出できるＭｕｌｔｉＴｏｕｃｈ（商標）ディスプレイであってもよい。
【００３５】
ユーザ入力を有効にするのに加え、ディスプレイ１２は画像を表示してもよい。いくつかの実施形態では、表示される画像は、オペレーションシステムのグラフィカルユーザインタフェース（ＧＵＩ）、アプリケーションインタフェース、静止画、又は動画であってもよい。図示するように、ディスプレイはプロセッサ１８及び画像処理回路２７に作用可能に連結される。したがって、ディスプレイ１２によって表示される画像は、プロセッサ１８及び／又は画像処理回路２７から受信された画像データに基づいてもよい。
【００３６】
以下により詳細に記載するが、ディスプレイ１２に送信される画像データによって、画像データに基づく画像を表示するために用いるリフレッシュレートを判定してもよい。例えば、プロセッサ１８及び／又は画像処理回路２７は、使用するリフレッシュレートを、画像データに含まれる垂直ブランク（Ｖｂｌａｎｋ）ラインの数に基づいて通信してもよい。したがって、一度、画像データが受信されると、ディスプレイ１２は使用するリフレッシュレートを、画像データに含まれる垂直ブランクラインの数及び／又はアクティブラインの数を判定することで判定することができる。以下により詳細に記載するが、ライン（例えば、垂直ブランク及びアクティブライン）の数は、画像が表示される持続時間と直接対応してもよい。なぜなら、ディスプレイ１２が１ライン書くのにかかる時間は概して一定であるためである。例えば、表示画像が２８８０×１８００の解像度を有して６０Ｈｚにて表示される時、画像データは５２本の垂直ブランクラインと１８００本のアクティブラインを含み得る。よって、画像が表示される持続時間は１８５２ラインとして説明できる。
【００３７】
上述の通り、コンピューティングデバイス１０は任意の好適な電子デバイスであってもよい。図示目的で、図２に、携帯電話、メディアプレーヤ、個人データオーガナイザ、ハンドヘルドゲームプラットホーム、又はそのような装置の任意の組み合わせであり得る、ハンドヘルドデバイス１０Ａの一例を記載する。したがって、例示目的で、ハンドヘルドデバイス１０Ａは、Ａｐｐｌｅ  Ｉｎｃ．（Ｃｕｐｅｒｔｉｎｏ，Ｃａｌｉｆｏｒｎｉａ）から入手可能なｉＰｏｄ（登録商標）又はｉＰｈｏｎｅ（登録商標）のモデルであってもよい。
【００３８】
図示するように、ハンドヘルドデバイス１０Ａは、物理的損傷から内部構成要素を保護し、かつ、電磁妨害からそれらを遮蔽することができるエンクロージャ２８を含む。エンクロージャ２８は、図示する実施形態ではアイコン３２のアレイを有するグラフィカルユーザインタフェース（ＧＵＩ）３０を表示するディスプレイ１２を取り囲んでもよい。例示目的で、アイコン３２がディスプレイ１２の入力構造体１４又はタッチ感知構成要素のいずれかによって選択されると、例えばＡｐｐｌｅ  Ｉｎｃ．によって作成されたｉＢｏｏｋ（登録商標）などのアプリケーションプログラムが起動してもよい。
【００３９】
更に、図示するように、入力構造体１４はエンクロージャ２８を通って開いていてもよい。上述の通り、入力構造体１４はユーザに、ハンドヘルドデバイス１０Ａと相互作用することを可能とし得る。例えば、入力構造体１４は、ハンドヘルドデバイス１０Ａをアクティブ化又は非アクティブ化する、ユーザインタフェースをホーム画面にナビゲートする、ユーザインタフェースをユーザ構成変更可能アプリケーション画面にナビゲートする、音声認識特徴をアクティブ化する、音量コントロールを提供する、及びマナーモードとリングモード間をトグル式に切り替えることができる。更に、図示するように、Ｉ／Ｏポート１６はエンクロージャ２８を通して開いている。いくつかの実施形態では、Ｉ／Ｏポート１６は、例えば、外部デバイスに接続するためのオーディオジャック及び／又はＡｐｐｌｅ  Ｉｎｃ．によるライトニング（登録商標）ポートを含んでもよい。
【００４０】
好適なコンピューティングデバイス１０を更に図示するために、図３にタブレットデバイス１０Ｂを示す。例示目的で、タブレットデバイス１０Ｂは、Ａｐｐｌｅ  Ｉｎｃ．より入手可能なｉＰａｄ（登録商標）のモデルであってもよい。更に、他の実施形態では、コンピューティングデバイス１０が図４に示すようにコンピュータ１０Ｃの形態を取ってもよい。例示目的で、コンピュータ１０Ｃは、Ａｐｐｌｅ  Ｉｎｃ．より入手可能なＭａｃＢｏｏｋ（登録商標）、ＭａｃＢｏｏｋ（登録商標）Ｐｒｏ、ＭａｃＢｏｏｋ  Ａｉｒ（登録商標）、ｉＭａｃ（登録商標）、Ｍａｃ（登録商標）ｍｉｎｉ、又はＭａｃ  Ｐｒｏ（登録商標）のモデルであってもよい。図示するように、コンピュータ１０Ｃはまた、ディスプレイ１２、入力構造体１４、Ｉ／Ｏポート１６、及び筐体２８をも備える。
【００４１】
上述の通り、ディスプレイ１２は、プロセッサ１８及び／又は画像処理回路２７から受信される画像データに基づいて画像を表示してもよい。より具体的には、画像データは、プロセッサ１８、画像処理回路２７、及びディスプレイ１２自身の任意の組み合わせによって処理されてもよい。図示目的で、図５に、画像データを処理し、通信するコンピューティングデバイス１０の一部３４を記載する。
【００４２】
図示するように、コンピューティングデバイス１０の一部３４は、画像ソース３６、タイミングコントローラ（ＴＣＯＮ）３８、及びディスプレイドライバ４０を備える。より具体的には、ソース３６は画像データを生成し、画像データをタイミングコントローラ３８に送信することができる。したがって、いくつかの実施形態では、ソース３６はプロセッサ１８及び／又は画像処理回路２７であってもよい。更に、いくつかの実施形態では、タイミングコントローラ３８及びディスプレイドライバ４０は電子ディスプレイ１２内に含まれてもよい。
【００４３】
上述の通り、ディスプレイ１２は、受信された画像データに少なくとも部分的に基づいて画像を表示することができる。このようにして、タイミングコントローラ３８は受信された画像データを分析して、電子ディスプレイ１２のディスプレイパネルに電圧を印加することで画素に画像を書き込むように、ドライバ４０に指示することができる。画像データの処理／分析を容易にし、及び／又は他の操作を行うために、タイミングコントローラ３８はプロセッサ４２及びメモリ４４を備えてもよい。いくつかの実施形態では、プロセッサ１８及び／又は画像処理回路２７内にタイミングコントローラプロセッサ４２を備えてもよい。他の実施形態では、タイミングコントローラプロセッサ４２は別個の処理モジュールであってもよい。更に、いくつかの実施形態では、タイミングコントローラメモリ４４は、メモリ２０、記憶デバイス２２、又は別の有形の非一時的コンピュータ可読媒体に備えられてもよい。他の実施形態では、タイミングコントローラメモリ４４は、タイミングコントローラプロセッサ４２によって実行可能な命令を記憶する、別個の有形の非一時的コンピュータ可読媒体であってもよい。
【００４４】
より具体的には、タイミングコントローラ３８は受信された画像データを分析して、所望の画像を得るための各画素に印加する電圧の大きさを判定し、それにしたがってドライバ４０に指示することができる。更に、タイミングコントローラ３８は受信された画像データを分析して、画像データによって示される画像を表示するリフレッシュレートを判定して、それにしたがってドライバ４０に指示してもよい。より具体的には、タイミングコントローラ３８はリフレッシュレートを、画像データに含まれる垂直ブランク（Ｖｂｌａｎｋ）ライン及び／又はアクティブラインの数に少なくとも部分的に基づいて、判定してもよい。
【００４５】
例えば、ディスプレイ１２が２８８０×１８００の解像度で画像を表示する場合に、タイミングコントローラ３８は第１の画像を、タイミングコントローラ３８がその対応する画像データが５２本の垂直ブランクラインと１８００本のアクティブラインを含むと判定した場合に、ドライバ４０に６０Ｈｚにて表示するように指示してもよい。更に、タイミングコントローラ３８は第２の画像を、タイミングコントローラ３８がその対応する画像データが１９０４本の垂直ブランクラインと１８００本のアクティブラインを含むと判定した場合に、ドライバ４０に３０Ｈｚにて表示するように指示してもよい。
【００４６】
上述の通り、ライン（例えば、アクティブ又は垂直ブランク）を用いて、１列の画素に画像を書き込む時間を説明する。より具体的には、ディスプレイパネル内の画素の各列が連続的に書き込まれるために、画像が表示される持続時間は、その対応する画像データに含まれるアクティブラインの数を含む。更に、その対応する画像データ内の垂直ブランクラインが受信されると、表示画像は表示され続けてもよい。このように、画像が表示される合計持続時間は、その対応する画像データ内の垂直ブランクラインの数とアクティブラインの数の合計として説明されてもよい。図示目的で、上記の例の続きとして、第１の画像が表示される持続時間は１８５２ラインであってもよく、第２の画像が表示される持続時間は３７０４ラインであってもよい。
【００４７】
より具体的には、上述の通り、ディスプレイパネルに正及び負の電圧が印加される持続時間を、次の画像を書き込むために用いるための電圧の極性を判定するために用いることができる。したがって、タイミングコントローラ３８は追跡する上でカウンタ４６を用いてもよい。例えば、いくつかの実施形態では、カウンタ４６は正電圧が印加された場合にカウントアップしてもよく、負電圧が印加された時はカウントダウンしてもよい。更に、タイミングコントローラ３８はドライバ４０に、カウンタ値が正数である場合にはディスプレイパネルに負電圧を印加して、カウンタ値が負数である場合にはディスプレイに正電圧を印加するように、指示してもよい。言い換えると、タイミングコントローラ３８はカウンタ値を０に近づけて維持することができる。よって、いくつかの実施形態では、カウンタ４６は、最大の正及び負の値が、画像（例えば、フレーム）内のラインの合計数と等しい大きさであるようにしてもよい。例えば、カウンタ４６は、０．２Ｈｚ未満のリフレッシュレートを収容するように符号付き２４ビットでもよい。
【００４８】
このように、画素が極性化する可能性を、およそ等しい時間だけ正電圧と負電圧とを印加することで、低下させることができる。よって、タイミングコントローラ３８は、画像ソース３６がアクティブモードにある場合に、垂直ブランクライン及び／又はアクティブラインの数を判定して、次の連続する画像を書き込むためにディスプレイパネルに印加する電圧の極性を判定し、例えば、コモンデバイスインタフェース（ＣＤＩ）を用いて判定された極性を、ドライバ４０に通信することができる。しかしながら、いくつかの実施形態では、更に節電するために、ソース３６はアドバンスドリンクパワーマネージメント（ＡＬＰＭ）を用いてもよい。より具体的には、ソース３６は、ソース３６が次の連続する表示される画像が前に表示された画像と同一であると判定した場合に、スリープモードに入ることができる。
【００４９】
しかしながら、ソース３６が画像データの送信を止めると、前の画像を表示するために印加された電圧が画素内に保持され続ける。言い換えると、ディスプレイパネルに新しい画像が書き込まれていない場合にも、画素に電圧が印加され続ける。このように、タイミングコントローラ３８は、ディスプレイパネル内の画素によって電圧が保持される持続時間を、タイマー４７を用いて考慮し続けてもよい。より具体的には、タイマー４７は電圧が保持される持続時間を追跡し続けることができる。よって、ラインを書き込む時間が概して一定であるために、タイミングコントローラ３８は、タイマー値を画像内でラインを書き込むために一般的に用いられる時間で割ることで、電圧が保持される持続時間を追跡し続けることができる。いくつかの実施形態では、ラインを書き込むために用いる時間をあらかじめ設定して、タイミングコントローラメモリ４４に記憶させてもよい。よって、以下により詳細に記載するが、タイマー値に基づいて、カウンタ４６は、ディスプレイパネルに正電圧が保持されている間はカウントアップし続け、ディスプレイパネルに負電圧が保持されている間はカウントダウンし続けることができる。
【００５０】
したがって、ソース３６がスリープモードに入り、画像データの送信を止めても、カウンタ４６は正電圧及び負電圧がディスプレイパネルに印加されている持続時間を追跡し続けることができる。よって、上述の通り、タイミングコントローラ３８は、カウンタ値に基づいて次の続く画像を書くために印加する電圧の極性を判定することができ、それにしたがってドライバ４０に指示することができる。
【００５１】
図示目的で、図６に、画像を表示するためのプロセス４８の一実施形態を示す。一般的に、プロセス４８は、前のカウンタ値を判定すること（プロセスブロック５０）と、画像を表示すること（プロセスブロック５２）と、画像が表示される持続時間を判定すること（プロセスブロック５４）と、カウンタ値を更新すること（プロセスブロック５６）と、を含む。いくつかの実施形態では、プロセス４８は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて、実行されてもよい。
【００５２】
したがって、タイミングコントローラ３８は前のカウンタ値を、カウンタ４６をポーリングすることで判定してもよい（プロセスブロック５０）。いくつかの実施形態では、タイミングコントローラ３８は、ソース３６から画像データが受信される度に、カウンタ４６をポーリングしてもよい。上述の通り、その後に前のカウンタ値を、ディスプレイパネルに画像を書き込むために用いる電圧の極性を判定するのに用いることができる。
【００５３】
よって、タイミングコントローラ３８はドライバ４０に、受信された画像データ及び前のカウンタ値に基づいて、ディスプレイパネルの画素に画像を書き込むように指示することができる（プロセスブロック５２）。より具体的には、タイミングコントローラ３８は、ディスプレイパネル内の画素に印加する電圧の大きさを、受信された画像データに含まれるアクティブライン、及び前のカウンタ値に基づく印加する電圧の極性に基づいて、判定することができる。上述の通り、タイミングコントローラ３８は、印加する電圧の大きさを、各画素の輝度を制御するために判定してもよい。
【００５４】
更に、タイミングコントローラ３８は、判定された電圧の大きさを印加するために用いる電圧の極性を、前のカウンタ値に基づいて判定してもよい。図示目的で、図７に、印加する電圧の極性を判定するためのプロセス５８の一実施形態を示す。一般的に、プロセス５８は、前のカウンタ値がゼロより大きいかを判定すること（判定ブロック６０）と、カウンタ値がゼロより大きい時は、負極性を有する画像を表示して（プロセスブロック６２）、カウンタ値を減少させること（プロセスブロック６４）とを含む。一方で、カウンタ値がゼロより大きくない時（例えば、ゼロ以下）は、プロセス５８は、正極性を有する画像を表示すること（プロセスブロック６６）と、カウンタ値を増加させること（プロセスブロック６８）とを含む。いくつかの実施形態では、プロセス５８は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて、実行することができる。
【００５５】
したがって、一度、前のカウンタ値が受け取られると、タイミングコントローラ３８は、前のカウンタ値がゼロより大きいかを判定してもよい（判定ブロック６０）。以前のカウンタ値がゼロより大きい場合には、タイミングコントローラ３８はドライバ４０に、所定の大きさで負極電圧を印加するように指示してもよい（プロセスブロック６２）。一方で、前のカウンタ値がゼロより大きくない時は、タイミングコントローラ３８はドライバ４０に、所定の大きさで正極電圧を印加するように指示してもよい（プロセスブロック６６）。
【００５６】
更に、図６に戻って、一度、画像が表示されると、タイミングコントローラ３８は受信された画像データに基づいて画像を表示する持続時間を判定してもよい（プロセスブロック５４）。より具体的には、アクティブラインが受信された時は、対応する画像がディスプレイパネル内の画素に書き込まれる。更に、垂直ブランクラインが受信された時は、画像は表示され続ける。言い換えると、所定の大きさ及び極性での電圧が、画像データ内のアクティブライン及び垂直ブランクラインの数と等しい持続時間だけ、印加されてもよい。
【００５７】
このように、対応する正及び負極電圧が印加される持続時間を追跡するために、カウンタ値を増加させる又は減少させることで更新することができる（プロセスブロック５６）。より具体的には、図７に戻って、カウンタ４６は、正極電圧が印加された場合にカウンタ４６を増加させることができる（プロセスブロック６８）。一方で、負極電圧が印加された場合にはカウンタ４６を減少させることができる（プロセスブロック６４）。よって、カウンタ値は、画像データに含まれるライン（例えば、垂直ブランク及び／又はアクティブ）の数によって、増加又は減少可能である。
【００５８】
図示目的で、図８に、カウンタ４６を増加させるか減少させる量を判定するためのプロセス７０の一実施形態を示す。一般的に、プロセス７０は、画像データに含まれるアクティブラインの数を判定すること（プロセスブロック７２）と、画像データに含まれる垂直ブランク（Ｖｂｌａｎｋ）ラインの数を判定すること（プロセスブロック７４）と、新しい画像データが受信されたかどうかを判定すること（決断ブロック７６）と、を含む。新しい画像データが受信された時は、垂直ブランクライン及びアクティブラインの数を再度、新しい画像データに基づいて判定してもよい。一方で、新しい画像データが受信されなかった時は、プロセス７０は、タイマーを開始させること（プロセスブロック７８）と、新しい画像データを受信した場合にタイマーを止めること（プロセスブロック８０）と、タイマーがついていたラインの数を判定すること（プロセスブロック８２）と、を含む。いくつかの実施形態では、プロセス７０は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて、実行することができる。
【００５９】
したがって、タイミングコントローラ３８は、受信された画像データに含まれるアクティブラインの数を判定することができる（プロセスブロック７２）。一般的に、画像データは、ディスプレイ１２の各列について１本のアクティブラインを含む。言い換えると、アクティブ列の数は、表示画像の解像度の高さに概して等しい。例えば、表示画像が２８８０×１８００の解像度を有する場合に、画像データは１８００のアクティブラインを含み得る。したがって、いくつかの実施形態では、タイミングコントローラ３８は、画像データに含まれるアクティブラインの数を数えてもよい。更に又は代替的に、アクティブラインの数をあらかじめ設定してタイミングコントローラメモリ４４内に記憶してもよい。
【００６０】
更に、タイミングコントローラ３８は、受信された画像データに含まれる垂直ブランクラインの数を判定してもよい（プロセスブロック７４）。いくつかの実施形態では、垂直ブランクラインは、垂直前部ポーチ、垂直同期パルス、及び垂直後部ポーチを含んでもよい。より具体的には、垂直前部ポーチは、垂直同期パルスの前に送信されるいくつかのブランク（例えば、ブラック）ラインを含んでもよく、これらもまた、数ライン続いていてもよい。垂直同期パルスの後に、垂直後部ポーチが送信されてもよい。これもまた、いくつかのブランク（例えば、ブラック）ラインを含む。よって、タイミングコントローラ３８は、受信された画像データ内のブランクラインの数と垂直同期パルス内のラインの数を数えることで、垂直ブランクラインの数を判定することができる。
【００６１】
よって、タイミングコントローラ３８は、受信された画像データに対応する画像が表示される持続時間を、ソース３６から受信した垂直ブランクラインの数とアクティブラインの数とを足し合わせることで判定することができる。しかしながら、上述の通り、例えば、続く画像が前の画像と同じである場合に、ソース３６をスリープモードに入れて画像データの送信を停止させることで、電力消費を改善することができる。より具体的には、ソース３６が画像データの送信を停止すると、ディスプレイ１２はディスプレイパネルの画素内の電圧を保持し続ける。よって、電圧が画素に保持される持続時間もまた、考慮されるべきである。
【００６２】
このように、新たな画像データが受信されない場合に、タイミングコントローラ３８はタイマー４７を開始させる（プロセスブロック７８）。タイミングコントローラ３８は、新たな画像データを受信した場合にタイマー４７を停止させる（プロセスブロック８０）が、このことはソース３６がもうスリープ状態にないことを示す。よって、タイマー４７は、ソース３６がスリープ中に電圧が画素に保持された時間を示すことができる。
【００６３】
ラインを書き込む持続時間が概して一定であるために、画素に電圧が保持される等価であるライン数を判定することができる（プロセスブロック８２）。より具体的には、タイマー４７によって計測される持続時間を、一列（例えば、ライン）を書き込むのに用いる時間で割ることができる。例えば、画像の一列を書き込むのに１ミリ秒かかり、タイマー４７が、電圧が５ミリ秒保持されたと判定すれば、タイミングコントローラ３８は５ライン分に等しい分だけ電圧が画素によって保持されたと判定することができる。更に又は代替的に、カウンタ４６は、１ラインを書き込むための持続時間が経過する毎に単純にカウントアップするかカウントダウンしてもよい。
【００６４】
上記記載の方法に基づいて、正及び負電圧が印加／保持される持続時間を、画素が極性化する恐れを低下させるために平衡化してもよい。方法を図示する目的で、図９に仮想表示動作８４を示す。より具体的には、仮想表示動作８４は、ｔ０からｔ９までディスプレイ１２によって受信された画像データを説明する。
【００６５】
図示するように、第１の画像データ８６はｔ０で受信され始める。第１の画像データ８６に対応する第１の画像を表示するには、タイミングコントローラ３８は第１の画像データ８６を分析して、第１の画像を書き込むために印加する電圧の大きさを判定してもよい。より具体的には、タイミングコントローラ３８は、第１の画像データ８６に含まれるアクティブラインに基づいて、印加する電圧の大きさを判定してもよい。更に、第１の画像データ８６を受信したことに応じて、タイミングコントローラ３８はカウンタ４６をポーリングし、前のカウンタ値がゼロであることを判定してもよい。よって、タイミングコントローラ３８は、第１の画像を書き込むには、ディスプレイパネル内の画素に正極電圧が印加されるべきであると判定することができる。
【００６６】
更に、タイミングコントローラ３８は、画像データに含まれるライン（例えば、垂直ブランク及びアクティブ）の合計数に基づいて、リフレッシュレートを判定してもよい。例えば、図示される実施例では、タイミングコントローラ３８は、第１の画像データ８６が５２本の垂直ブランクラインと１８００本のアクティブライン（例えば、合計１８５２ライン）を含むために、第１の画像が６０Ｈｚにて表示されるべきであると判定してもよい。したがって、タイミングコントローラ３８はドライバ４０に、第１の画像を表示するために６０Ｈｚにて所定の大きさで正電圧を用いるように指示してもよい。更に、正電圧が印加されるため、カウンタ４６は１８５２ラインをカウントアップする。よって、ｔ１では、カウンタ値は１８５２であり得る。
【００６７】
次に、図示するように、第２の画像データ８８がｔ１で受信され始める。第１の画像を表示するのと同様に、第２の画像データ８８に対応する第２の画像を表示するために、タイミングコントローラ３８は印加する電圧の大きさを、第２の画像データ８８に含まれるアクティブラインに基づいて判定してもよい。更に、第２の画像データ８８を受信したことに応じて、タイミングコントローラ３８はカウンタ４６をポーリングし、前のカウンタ値が１８５２であることを判定してもよい。よって、タイミングコントローラ３８は、第２の画像を書き込むには、ディスプレイパネル内の画素に負極電圧が印加されるべきだと判定することができる。
【００６８】
更に、タイミングコントローラ３８は、第２の画像データ８６が１９０４本の垂直ブランクラインと１８００本のアクティブライン（例えば、合計３７０４ライン）を含むために、第２の画像が３０Ｈｚにて表示されるべきであると判定してもよい。したがって、タイミングコントローラ３８はドライバ４０に、第２の画像を表示するために３０Ｈｚにて所定の大きさで負電圧を用いるように指示してもよい。更に、負電圧が印加されるため、カウンタ４６は３７０４ラインをカウントダウンする。よって、ｔ２では、カウンタ値は−１８５２であり得る。
【００６９】
次に、図示するように、第３の画像データ９０がｔ２で受信され始める。第１及び第２の画像を表示するのと同様に、第３の画像データ９０に対応する第３の画像を表示するには、タイミングコントローラ３８は印加する電圧の大きさを、第３の画像データ９０に含まれるアクティブラインに基づいて判定してもよい。更に、第３の画像データ９０を受信したことに応じて、タイミングコントローラ３８はカウンタ４６をポーリングして、前のカウンタ値が−１８５２であることを判定してもよい。よって、タイミングコントローラ３８は、第３の画像を書き込むには、ディスプレイパネル内の画素に正極電圧が印加されるべきであると判定することができる。
【００７０】
更に、タイミングコントローラ３８は、第３の画像データ９０が５２本の垂直ブランクラインと１８００本のアクティブライン（例えば、合計１８５２ライン）を含むために、第３の画像が６０Ｈｚにて表示されるべきであると判定してもよい。したがって、タイミングコントローラ３８はドライバ４０に、第３の画像を表示するために６０Ｈｚにて所定の大きさで正電圧を用いるように指示してもよい。更に、正電圧が印加されるため、カウンタ４６は１８５２ラインをカウントアップする。よって、ｔ３では、カウンタ値はゼロであり得る。
【００７１】
図示するように、第４の画像データ９２がｔ３で受信され始める。第１〜第３の画像を表示するのと同様に、第４の画像データ９２に対応する第４の画像を表示するには、タイミングコントローラ３８は、印加する電圧の大きさを、第４の画像データ９２に含まれるアクティブラインに基づいて判定してもよい。更に、第４の画像データ９２を受信したことに応じて、タイミングコントローラ３８はカウンタ４６をポーリングして、前のカウンタ値がゼロであることを判定してもよい。よって、タイミングコントローラ３８は、第４の画像を書き込むためには、ディスプレイパネル内の画素に正極電圧が再度印加されるべきであると判定することができる。このように、連続する画像を書き込むために２つの正極電圧が印加される。言い換えると、本方法を用いて印加される電圧は、連続する画像では必ずしも交互にならない。
【００７２】
更に、タイミングコントローラは、第４の画像データ８６が９７８本の垂直ブランクラインと１８００本のアクティブライン（例えば、合計２７７８ライン）を含むために、第４の画像が４５Ｈｚにて表示されるべきであると判定してもよい。言い換えると、画像が表示され得るリフレッシュレートは３０Ｈｚ及び６０Ｈｚに限定されておらず、ディスプレイ１２にとって好適な任意のリフレッシュレートであり得る。実際のところ、いくつかの実施形態では、リフレッシュレートは０．２〜７５Ｈｚの範囲内のいずれであってもよい。タイミングコントローラ３８は次に、ドライバ４０に、第４の画像を表示するために４５Ｈｚにて所定の大きさで正電圧を用いるように指示してもよい。更に、正電圧が印加されるため、カウンタ４６は２７７８ラインをカウントアップする。よって、ｔ４では、カウンタ値は２７７８であり得る。
【００７３】
次に、図示するように、第５の画像データ９４がｔ４で受信され始める。第１〜第４の画像を表示するのと同様に、第５の画像データ９４に対応する第５の画像を表示するには、タイミングコントローラ３８は、印加する電圧の大きさを、第５の画像データ９４に含まれるアクティブラインに基づいて判定してもよい。更に、第５の画像データ９４を受信したことに応じて、タイミングコントローラ３８はカウンタ４６をポーリングして、前のカウンタ値が２７７８であることを判定してもよい。よって、タイミングコントローラ３８は、第５の画像を書き込むためには、ディスプレイパネル内の画素に負極電圧が印加されるべきであると判定することができる。
【００７４】
更に、タイミングコントローラ３８は、第５の画像データ９４が５２本の垂直ブランクラインと１８００本のアクティブライン（例えば、合計１８５２ライン）を含むために、第５の画像が６０Ｈｚにて表示されるべきであると判定してもよい。したがって、タイミングコントローラ３８はドライバ４０に、第５の画像を表示するために６０Ｈｚにて所定の大きさで負電圧を用いるように指示してもよい。更に、負電圧が印加されるため、カウンタ４６は１８５２ラインをカウントダウンする。よって、ｔ５では、カウンタ値は９２６であり得る。
【００７５】
ｔ５では、ソース３６はスリープモードに入り、画像データの送信を停止してもよい。このように、ディスプレイ１２は、ディスプレイパネルの画素に第５の画像を表示するのに使用される負電圧を保持し続けてもよい。よって、新たな画像データが受信されないことを検出したことに応じて、タイミングコントローラ３８はタイマー４７をｔ５ではじめてもよい。次に、ｔ６にて、第６の画像データが受信されてもよい。よって、新たな画像が受信されたことを検出したことに応じて、タイミングコントローラ３８はｔ６でタイマー４７を止めてもよい。
【００７６】
上述の通り、タイマー値を用いることで、タイミングコントローラ３８はカウンタ４６を更新することができる。より具体的には、タイミングコントローラ３８はカウンタ値を、タイマー値を画像の一ラインを書き込むのに一般的に用いられる時間で割ることで、更新することができる。例えば、画像の一ラインを書き込むのに一般的に１ミリ秒かかり、ｔ６でのタイマー値が２２２２であると仮定すると、タイミングコントローラ３８は、ｔ５とｔ６との間で２２２２ラインについて、ディスプレイパネルの画素に負電圧が保持されていると判定することができる。よって、ｔ６でのカウンタ値は−１２９６であり得る。いくつかの実施形態では、タイミングコントローラ３８は、タイマー４７が持続時間を計測する間にカウンタ値を更新してもよい。言い換えると、カウンタ４６はｔ５とｔ６の間で１ミリ秒毎にカウントダウンしてもよい。これに加えて又は代替的に、タイミングコントローラ３８はカウンタ値を、新たな画像データを受信した場合に（例えば、ｔ６にて）、更新してもよい。
【００７７】
図示するように、第６の画像データがｔ６にて受信され始める。第１〜第５の画像を表示するのと同様に、第６の画像データ９６に対応する第６の画像を表示するには、タイミングコントローラ３８は印加する電圧の大きさを、第６の画像データ９６に含まれるアクティブラインに基づいて判定してもよい。更に、第６の画像データ９６を受信したことに応じて、タイミングコントローラ３８はカウンタ４６をポーリングして、前のカウンタ値が−１２９６であることを判定してもよい。よって、タイミングコントローラ３８は、第６の画像を書き込むためには、ディスプレイパネル内の画素に正極電圧が印加されるべきであると判定することができる。
【００７８】
更に、タイミングコントローラ３８は、第６の画像データ９６が１９０４本の垂直ブランクラインと１８００本のアクティブライン（例えば、合計３７０４ライン）を含むために、第６の画像が３０Ｈｚにて表示されるべきであると判定してもよい。したがって、タイミングコントローラ３８はドライバ４０に、第６の画像を表示するために３０Ｈｚにて所定の大きさで正電圧を用いるように指示してもよい。更に、正電圧が印加されるため、カウンタ４６は３７０４ラインをカウントアップする。よって、ｔ７では、カウンタ値は２４０８であり得る。
【００７９】
次に、図示するように、第７の画像データ９８がｔ７で受信され始める。第１〜第６の画像を表示するのと同様に、第７の画像データ９８に対応する第７の画像を表示するには、タイミングコントローラ３８は印加する電圧の大きさを、第７の画像データ９８に含まれるアクティブラインに基づいて判定してもよい。更に、第７の画像データ９８を受信したことに応じて、タイミングコントローラ３８はカウンタ４６をポーリングして、前のカウンタ値が２４０８であることを判定してもよい。よって、タイミングコントローラ３８は、第７の画像を書き込むためには、ディスプレイパネル内の画素に負極電圧が印加されるべきであると判定することができる。
【００８０】
更に、タイミングコントローラ３８は、第７の画像データ９８が１３７５本の垂直ブランクラインと１８００本のアクティブライン（例えば、合計３１７５ライン）を含むために、第７の画像が３５Ｈｚで表示されるべきであると判定してもよい。したがって、タイミングコントローラ３８はドライバ４０に、第７の画像を表示するために３５Ｈｚにて所定の大きさで負電圧を用いるように指示してもよい。更に、負電圧が印加されるため、カウンタ４６は３１７５ラインをカウントダウンする。よって、ｔ８では、カウンタ値は−７６７であり得る。
【００８１】
次に、図示するように、第８の画像データ１００がｔ８で受信され始める。第１〜第７の画像を表示するのと同様に、第８の画像データ１００に対応する第８の画像を表示するには、タイミングコントローラ３８は印加する電圧の大きさを、第８の画像データ１００に含まれるアクティブラインに基づいて判定してもよい。更に、第８の画像データ１００を受信したことに応じて、タイミングコントローラ３８はカウンタ４６をポーリングして、前のカウンタ値が−７６７であることを判定してもよい。よって、タイミングコントローラ３８は、第８の画像を書き込むためには、ディスプレイパネル内の画素に正極電圧が印加されるべきであると判定することができる。
【００８２】
更に、タイミングコントローラ３８は、第８の画像データ１００が５２本の垂直ブランクラインと１８００本のアクティブライン（例えば、合計１８５２ライン）を含むために、第８の画像が６０Ｈｚにて表示されるべきであると判定してもよい。したがって、タイミングコントローラ３８はドライバ４０に、第８の画像を表示するために６０Ｈｚにて所定の大きさで正電圧を用いるように指示してもよい。更に、正電圧が印加されるため、カウンタ４６は１８５２ラインをカウントダウンされる。よって、ｔ９では、カウンタ値は１０８５であり得る。
【００８３】
上記の仮想動作８４に基づいて、正電圧及び負電圧が印加／保持される持続時間は、ディスプレイパネル内で画素が極性化される恐れが低下し得るように平衡化されてもよい。より具体的には、上記実施例は、電圧が印加される持続時間と極性化の可能性との間での線形関係を仮定している。言い換えると、１ラインについて印加される正電圧は、１ラインについて印加される負電圧をちょうど相殺するものであろう。しかしながら、他の実施形態では、関係は非線形であり得る。非線形の実施形態を実施するには、カウンタ４６がカウントアップされるかカウントダウンされる量を調整してもよい。例えば、より長く電圧が印加／保持されると、カウンタ４６はよりカウントアップされるかカウントダウンされてもよい。言い換えると、非線形カウンタを用いることができる。
【００８４】
図示目的で、図１０に、非線形カウンタを用いるためのプロセス１０２の一実施例を示す。一般的に、プロセス１０２はカウンタ値を増加／減少させること（プロセスブロック１０４）と、カウンタ値が持続時間閾値に到達したかどうかを判定すること（判定ブロック１０６）と、持続時間閾値に到達していない時はカウンタの増加／減少を続けること（矢印１０８）と、を含む。一方で、持続時間閾値に到達した時は、プロセス１０２はカウンタデバイダ（couter divider）を変更すること（プロセスブロック１１０）と、カウンタの増加／減少に戻ること（矢印１１２）と、を含む。いくつかの実施形態では、プロセス１０２は、タイミングコントローラメモリ４４及び／又は別の好適な有形の非一時的コンピュータ可読媒体に記憶され、タイミングコントローラプロセッサ４２及び／又は別の好適な処理回路によって実行可能な命令を用いて、実行することができる。
【００８５】
上述の線形の実施形態にあるように、タイミングコントローラ３８はカウンタ値を、画像が表示される持続時間に基づいて更新する（例えば、増加又は低下させる）ことができる（プロセスブロック１０４）。しかしながら、一度タイミングコントローラ３８が、持続時間閾値に到達したと判定すると（判定ブロック１０６）、カウンタデバイダの値が適用され得る（プロセスブロック１１０）。より具体的には、いくつかの実施形態では、カウンタ値がより小さな増分で調節されるようにカウンタデバイダが適用されてもよい。例えば、一度、持続時間閾値に到達すると、２つのカウンタデバイダの値が適用されてもよい。このような実施形態では、カウンタ４６は各２ライン毎に１単位で調節されてもよい。
【００８６】
図示目的で、以下に持続時間閾対カウンタデバイダの関係の実施例を記載する。
【表１】
0006329649.tif 000002
記載の実施例では、持続時間閾値とカウンタデバイダは単調に増加する様態で設定されている。しかしながら、他の実施形態では、持続時間閾値及びカウンタデバイダは任意の好適な様態で設定されてもよい。更に、他の実施形態では、追加して持続時間閾値とカウンタデバイダが用いられてもよい。
【００８７】
持続時間閾値対カウンタデバイダの関係の使用を図示する目的で、図１１に記載される仮想ディスプレイ動作１１４に関して、関係が記載されている。図示するように、第１の画像データ１１６はｔ０で受信され始める。第１の画像データ１１６を受信したことに応じて、タイミングコントローラ３８はカウンタ４６をポーリングして、前のカウンタ値が０であることを判定してもよい。したがって、タイミングコントローラ３８は、第１の画像１１６に対応する第１の画像を書き込むには、ディスプレイパネル内の画素に正極電圧が印加されるべきであると判定することができる。よって、カウンタ４６は、５２本の垂直ブランクラインと１８００本のアクティブライン（例えば、合計１８５２ライン）を含む第１の画像データ１１６に含まれるラインの数に基づいて、カウントアップし始めてもよい。持続時間閾値にまだ到達していないため、カウンタ値は、第１の画像が表示される持続時間について１ライン毎に１単位、増加し得る。よって、ｔ１でのカウンタ値は１８５２であり得る。
【００８８】
次に、図示するように、第２の画像データ１１８がｔ１で受信され始める。第２の画像データを受信したことに応じて、タイミングコントローラ３８はカウンタ４６をポーリングして、前のカウンタ値が１８５２であることを判定してもよい。したがって、タイミングコントローラ３８は、第２の画像を書き込むためには、ディスプレイパネル内の画素に負極電圧が印加されるべきであると判定することができる。よって、カウンタ４６は、９３１２本の垂直ブランクラインと１８００本のアクティブライン（例えば、合計１１，１１２ライン）を含む第１の画像データ１１６に含まれるラインの数に基づいて、カウントダウンし始めてもよい。
【００８９】
上述の持続時間閾値対カウンタデバイダの関係性に基づいて、持続時間閾値に到達することができる。より具体的には、図示するように、カウンタ４６は、第１の持続時間閾値（例えば、１８５２）に到達するまで、１ライン毎に１単位、カウントダウンしてもよい。よって、ｔ２では、第２の画像が表示される持続時間は１８５２ラインであり、カウンタ値はゼロである。
【００９０】
ｔ２では第１の持続時間閾値に到達しているために、タイミングコントローラ３８は、上述するように２である、対応するカウンタデバイダを適用してもよい。このように、カウンタ４６は、第２の持続時間閾値（例えば、３７０４）に到達するまで、各２ライン毎に１単位、カウントダウンしてもよい。よって、ｔ３では、第２の画像が表示される持続時間は３７０４ラインであり、カウンタ値は−９２６である。
【００９１】
ｔ３で、第２の持続時間閾値に到達しているために、タイミングコントローラ３８は、上述するように３である、対応するカウンタデバイダを再度適用してもよい。このように、カウンタ４６は、第３の持続時間閾値（例えば、５５５６）に到達するまで、各３ライン毎に１ユニットでカウントダウンしてもよい。よって、ｔ４では、第２の画像が表示される持続時間は５５５６ラインであり、カウンタ値は−１５４３である。
【００９２】
ｔ４では第３の持続時間閾値に到達しているために、タイミングコントローラ３８は、上述するように４である、対応するカウンタデバイダを再度適用してもよい。このように、カウンタ４６は、第４の持続時間閾値（例えば、７４０８）に到達するまで、各４ライン毎に１単位、カウントダウンしてもよい。よって、ｔ５では、第２の画像が表示される持続時間は７４０８ラインであり、カウンタ値は−２００６である。
【００９３】
ｔ５では第４の持続時間閾値に到達しているため、タイミングコントローラ３８は、上述するように５である、対応するカウンタデバイダを再度適用してもよい。このように、カウンタ４６は、第５の持続時間閾値（例えば、９２６０）に到達するまで、各５ライン毎に１単位、カウントダウンしてもよい。よって、ｔ６では、第２の画像が表示される持続時間は９２６０ラインであり、カウンタ値は−２３７６である。
【００９４】
ｔ６では第５の持続時間閾値に到達しているため、タイミングコントローラ３８は、上述するように６である、対応するカウンタデバイダを再度適用してもよい。このように、カウンタ４６は各６ライン毎に１単位、カウントダウンしてもよい。よって、ｔ７では、カウンタ値は−２６８４であり得る。
【００９５】
次に、図示するように、第３の画像データ１２０がｔ７で受信され始める。第３の画像データ１２０を受信したことに応じて、タイミングコントローラ３８はカウンタ４６をポーリングして、前のカウンタ値が−２６８４であることを判定してもよい。したがって、タイミングコントローラ３８は、第３の画像データ１２０に対応する第３の画像を書き込むには、ディスプレイパネル内の画素に正極電圧が印加されるべきであると判定することができる。よって、カウンタ４６は、５２本の垂直ブランクラインと１８００本のアクティブライン（例えば、合計１８５２ライン）を含む第３の画像データ１２０に含まれるラインの数に基づいて、カウントアップし始めてもよい。持続時間閾値にまだ到達していないため、カウンタ値は、第３の画像が表示される持続時間について、各ライン毎に１ユニットで増加し得る。よって、ｔ８でのカウンタ値は−８３２であり得る。
【００９６】
したがって、本開示の技術効果は、電子ディスプレイによって用いられる反転方法を、特に電子ディスプレイが動的可変リフレッシュレートを用いる場合に改善させることを含む。より具体的には、電子ディスプレイ内で画素が極性化される可能性は、カウンタを用いることで低下させることができる。いくつかの実施形態では、カウンタは、画素に正電圧が印加される持続時間と、画素に負電圧が印加される持続時間とを追跡することができる。このように、各極性が印加される持続時間は互いを相殺してもよく、そのことで片方が実質的により長い持続時間について印加されて画素を極性化させる可能性を低下させる。
【００９７】
上述の具体的な実施形態は、例として示されたものであり、これらの実施形態は、様々な修正形態及び代替形態の影響を受けやすいものであり得ることを理解するべきである。更に、特許請求の範囲が、開示された特定の形態に限定されず、むしろこの開示の趣旨と意図の範囲にある全ての修正物、均等物、及び代替物を対象として含むことを理解されたい。
【図１】
0006329649.tif 000003
【図２】
0006329649.tif 000004
【図３】
0006329649.tif 000005
【図４】
0006329649.tif 000006
【図５】
0006329649.tif 000007
【図６】
0006329649.tif 000008
【図７】
0006329649.tif 000009
【図８】
0006329649.tif 000010
【図９】
0006329649.tif 000011
【図１０】
0006329649.tif 000012
【図１１】
0006329649.tif 000013